(57)【要約】【課題】コンピューター装置を提供する。【解決手段】コンピューター装置は、汎用グラフィック処理ユニットキャリアを収納するための、第１のロック機構及び第２のロック機構を含むスロットを有する。汎用グラフィック処理ユニットキャリアは、ブラケットを備える。ブラケットは、スロットの第１のロック機構を固定するための第１のラッチ機構とスロットの第２のロック機構を固定するための第２のラッチ機構を含む。汎用グラフィック処理ユニットキャリアは、ブラケットに固定されるフレームを更に含む。このフレームは、汎用グラフィック処理ユニットキャリアをスロット内に固定するように、第１のガイドスロットを有する第１の端部と第２のガイドスロットを有する第２の端部を含む。第１のガイドスロットと第２のガイドスロットは、汎用グラフィック処理ユニットキャリアがスロット内に固定される場合、第１の位置から第２の位置へ調整するように配置される。【選択図】図４Ａ
2019087223.tif 000002
【特許請求の範囲】
【請求項１】
第１のロック機構及び第２のロック機構を含み、汎用グラフィック処理ユニット（ｇｅｎｅｒａｌ  ｐｕｒｐｏｓｅ  ｇｒａｐｈｉｃ  ｐｒｏｃｅｓｓｉｎｇ  ｕｎｉｔ；ＧＰＧＰＵ）キャリアを受けるように配置される少なくとも１つのスロットと、
第１の汎用グラフィック処理ユニットを固定するための第１の収納空間、第２の汎用グラフィック処理ユニットを固定するための第２の収納空間、前記第１のロック機構を固定するための第１のラッチ機構、及び前記第２のロック機構を固定するための第２のラッチ機構を含むブラケットと、前記ブラケットに固定され、前記汎用グラフィック処理ユニットキャリアを前記スロット内に固定するように第１のガイドスロットを有する第１の端部と第２のガイドスロットを有する第２の端部を含み、前記第１のガイドスロット及び前記第２のガイドスロットは、前記汎用グラフィック処理ユニットキャリアが前記スロット内に固定される場合、第１の位置から第２の位置へ調整できるように配置されるフレームと、を含み、前記少なくとも１つのスロットの中に移動可能に挿入される前記汎用グラフィック処理ユニットキャリアと、を備えるコンピューター装置。
【請求項２】
前記フレームは、複数の留め具、複数のネジ及びスポット溶接の少なくとも１つによって前記ブラケットに固定される請求項１に記載のコンピューター装置。
【請求項３】
前記汎用グラフィック処理ユニットキャリアは、高速周辺機器相互接続標準（ｐｅｒｉｐｈｅｒａｌ  ｃｏｍｐｏｎｅｎｔ  ｉｎｔｅｒｃｏｎｎｅｃｔ  ｅｘｐｒｅｓｓ；ＰＣＩｅ）ケーブルに接続される高速周辺機器相互接続標準インターフェースを更に含む請求項１に記載のコンピューター装置。
【請求項４】
前記第１のロック機構及び前記第２のロック機構は、ピンを含む請求項１に記載のコンピューター装置。
【請求項５】
前記第１のラッチ機構及び前記第２のラッチ機構は、バネ及びロック素子を含む請求項１に記載のコンピューター装置。
【請求項６】
前記少なくとも１つのスロットは、前記汎用グラフィック処理ユニットキャリアの対応するアダプターとの結合に用いられるコネクタを含む請求項１に記載のコンピューター装置。
【請求項７】
第１の汎用グラフィック処理ユニット（ｇｅｎｅｒａｌ  ｐｕｒｐｏｓｅ  ｇｒａｐｈｉｃ  ｐｒｏｃｅｓｓｉｎｇ  ｕｎｉｔ；ＧＰＧＰＵ）を固定するための第１の収納空間、第２の汎用グラフィック処理ユニットを固定するための第２の収納空間、第１のラッチ機構、及び第２のラッチ機構を含むブラケットと、
前記ブラケットに固定されたフレームと、
を備える汎用グラフィック処理ユニットキャリアであって、
前記フレームは、前記汎用グラフィック処理ユニットキャリアをマザーボードのスロット内に固定するように第１のガイドスロットを有する第１の端部と第２のガイドスロットを有する第２の端部を含み、前記第１のガイドスロット及び前記第２のガイドスロットは、前記汎用グラフィック処理ユニットキャリアが前記マザーボードのスロット内に固定される場合、第１の位置から第２の位置へ調整できるように配置される汎用グラフィック処理ユニットキャリア。
【請求項８】
前記フレームは、複数の留め具、複数のネジ及びスポット溶接の少なくとも１つによって前記ブラケットに固定される請求項７に記載の汎用グラフィック処理ユニットキャリア。
【請求項９】
高速周辺機器相互接続標準（ｐｅｒｉｐｈｅｒａｌ  ｃｏｍｐｏｎｅｎｔ  ｉｎｔｅｒｃｏｎｎｅｃｔ  ｅｘｐｒｅｓｓ；ＰＣＩｅ）ケーブルに接続される高速周辺機器相互接続標準インターフェースを更に含む請求項７に記載の汎用グラフィック処理ユニットキャリア。
【請求項１０】
前記マザーボードの対応するアダプターとの結合に用いられるコネクタを更に含む請求項７に記載の汎用グラフィック処理ユニットキャリア。
【発明の詳細な説明】
【技術分野】
【０００１】
本開示は、汎用グラフィック処理ユニット（ｇｅｎｅｒａｌ  ｐｕｒｐｏｓｅ  ｇｒａｐｈｉｃ  ｐｒｏｃｅｓｓｉｎｇ  ｕｎｉｔ；ＧＰＧＰＵ）キャリアの技術分野に関し、特に、信頼可能且つツールを必要としない汎用グラフィック処理ユニットキャリアに関する。
【背景技術】
【０００２】
汎用グラフィック処理ユニットは、一般的に、従来の中央処理ユニット（ｃｅｎｔｒａｌ  ｐｒｏｃｅｓｓｉｎｇ  ｕｎｉｔ；ＣＰＵ）により処理されるアプリケーションの計算を実行することに使用される。単一のグラフィック処理ユニットであっても、複数の中央処理ユニット自体が提供できない利点を提供することができる。これは、複数のチップが各々専門化（ｓｐｅｃｉａｌｚａｔｉｏｎ）されているためである。グラフィック処理ユニットは、動作周波数が低いが、そのコア数がしばしば数倍も多い。従って、グラフィック処理ユニットは、従来の中央処理ユニットよりはるかに高速にして、画像及びグラフィックスデータをより効率的に処理することができる。データをグラフィック形態に変換して、グラフィック処理ユニットによってスキャニング及び分析を行うことで、顕著な高速化を達成させることができる。
【発明の概要】
【発明が解決しようとする課題】
【０００３】
現在の多種類のコンピュータシステムから汎用グラフィック処理ユニットを取り外すには、ツールを必要とし、ケーブルをケーブルソケットから引き出す必要がある。頻繁に又は誤って使用すると、これらのケーブル又はソケットが脆弱になり、使用中の汎用グラフィック処理ユニットに関連するデータ伝送エラーが発生する可能性がある。汎用グラフィック処理ユニットの取り付けは、同様の困難を伴うため、簡単な作業ではない。
【０００４】
また、コンピューターデータセンター（ネットワークデータセンター又は企業データセンターとも呼ばれる）は、様々な汎用グラフィック処理ユニットを利用する数多くのコンピューターシステムを含む。データセンター内の多数の大容量汎用グラフィック処理ユニットは、取り外しや取り付けにおいて重大な問題を引き起こす。データセンターで汎用グラフィック処理ユニットを損傷することなく取り外しや取り付けしようとすると時間が掛かり技術も複雑になる可能性がある。
【０００５】
従って、様々な理由（例えば一般的に汎用グラフィック処理ユニットのデータバックアップ）により、汎用グラフィック処理ユニットをコンピュータシステムに容易に、迅速且つ効率的に取り外し又は取り付けできることが非常に重要になっている。
【課題を解決するための手段】
【０００６】
本開示の一部の実施例によれば、第１のロック機構及び第２のロック機構を含み、汎用グラフィック処理ユニットキャリアを受けるように配置される少なくとも１つのスロットと、第１の汎用グラフィック処理ユニットを固定するための第１の収納空間、第２の汎用グラフィック処理ユニットを固定するための第２の収納空間、第１のロック機構を固定するための第１のラッチ機構、及び第２のロック機構を固定するための第２のラッチ機構を含むブラケットと、ブラケットに固定され、汎用グラフィック処理ユニットキャリアをスロット内に固定するように第１のガイドスロットを有する第１の端部と第２のガイドスロットを有する第２の端部を含み、第１のガイドスロットと第２のガイドスロットは、汎用グラフィック処理ユニットキャリアがスロット内に固定される場合、第１の位置から第２の位置へ調整できるように配置されるフレームと、を含み、少なくとも１つのスロットの中に移動可能に挿入される汎用グラフィック処理ユニットキャリアと、を備えるコンピューター装置を提供する。
【０００７】
本発明の一部の実施例によれば、フレームは、複数の留め具、複数のネジ及びスポット溶接の少なくとも１つによって前記ブラケットに固定される。
【０００８】
本発明の一部の実施例によれば、汎用グラフィック処理ユニットキャリアは、高速周辺機器相互接続標準（ＰＣＩｅ）ケーブルに接続される高速周辺機器相互接続標準インターフェースを更に含む。
【０００９】
本発明の一部の実施例によれば、第１のロック機構及び前記第２のロック機構は、ピンを含む。
【００１０】
本発明の一部の実施例によれば、第１のラッチ機構及び前記第２のラッチ機構は、バネ及びロック素子を含む。
【００１１】
本発明の一部の実施例によれば、少なくとも１つのスロットは、前記汎用グラフィック処理ユニットキャリアの対応するアダプターとの結合に用いられるコネクタを含む。
【００１２】
本開示の一部の実施例によれば、第１の汎用グラフィック処理ユニットを固定するための第１の収納空間、第２の汎用グラフィック処理ユニットを固定するための第２の収納空間、第１のラッチ機構、及び第２のラッチ機構を含むブラケットと、ブラケットに固定されたフレームと、を備える汎用グラフィック処理ユニットキャリアであって、フレームは、汎用グラフィック処理ユニットキャリアをマザーボードのスロット内に固定するように第１のガイドスロットを有する第１の端部と第２のガイドスロットを有する第２の端部を含み、第１のガイドスロットと第２のガイドスロットは、汎用グラフィック処理ユニットキャリアがマザーボードのスロット内に固定される場合、第１の位置から第２の位置へ調整できるように配置される汎用グラフィック処理ユニットキャリアを提供する。
【００１３】
本発明の一部の実施例によれば、フレームは、複数の留め具、複数のネジ及びスポット溶接の少なくとも１つによってブラケットに固定される。
【００１４】
本発明の一部の実施例によれば、汎用グラフィック処理ユニットキャリアは、高速周辺機器相互接続標準ケーブルに接続される高速周辺機器相互接続標準インターフェースを更に含む。
【００１５】
本発明の一部の実施例によれば、汎用グラフィック処理ユニットキャリアは、マザーボードの対応するアダプターとの結合に用いられるコネクタを含む。
【図面の簡単な説明】
【００１６】
【図１】本開示の実施例に係る汎用グラフィック処理ユニット（ｇｅｎｅｒａｌ  ｐｕｒｐｏｓｅ  ｇｒａｐｈｉｃ  ｐｒｏｃｅｓｓｉｎｇ  ｕｎｉｔ；ＧＰＧＰＵ）キャリアの第１の状態を示す斜視図である。
【図２】図１における汎用グラフィック処理ユニットキャリアの第２の状態を示す斜視図であり、実施例において第１の汎用グラフィック処理ユニット及び第２の汎用グラフィック処理ユニットが取り付けられる。
【図３】実施例において図１及び図２の汎用グラフィック処理ユニットキャリアがマザーボード内のスロットに挿入されている斜視図である。
【図４Ａ】汎用グラフィック処理ユニットキャリアのラッチとスロットのロック機構との結合を示す部分拡大図である。
【図４Ｂ】汎用グラフィック処理ユニットキャリアのラッチがスロットのロック機構に固定されていることを示す部分拡大図である。
【図５】図１の汎用グラフィック処理ユニットキャリアがコンピューター装置のマザーボード内のスロットに挿入されることを示す斜視図である。
【図６】コネクタが図１の汎用グラフィック処理ユニットキャリアを図５のコンピューター装置のマザーボードに接続することを示す斜視図である。
【図７】図１の汎用グラフィック処理ユニットキャリアを示す左視斜視図である。
【図８】図１の汎用グラフィック処理ユニットキャリアを示す右視斜視図である。
【図９】コンピューター装置マザーボード内の第１の位置内の汎用グラフィック処理ユニットキャリアを示す部分拡大図である。
【図１０】コンピューター装置マザーボード内の第２の位置内の汎用グラフィック処理ユニットキャリアを示す。
【図１１】マザーボード内において汎用グラフィック処理ユニットキャリアに接続されるように配置されるアダプターを示す部分拡大図である。
【図１２】スロット内に配置された、第２の位置にある汎用グラフィック処理ユニットキャリアのガイドピンを示す部分拡大図である。
【図１３】スロット内に配置された、第１の位置にある汎用グラフィック処理ユニットキャリアのガイドピンを示す部分拡大図である。
【発明を実施するための形態】
【００１７】
添付図面を参照して本開示を説明し、全部の添付図面において、同一又は同等の要素には同じ参照番号が使用される。添付図面は定率に縮尺して描かれたものではなく、単に本開示を説明するためのものである。以下、説明するための例示的な適用例を参照して、本開示の幾つかの態様を説明する。理解すべきなのは、本開示を完全的に理解させるために、多くの具体的な細部、関係及び方法を説明する。しかし、当業者であれば、何れの１つ又は複数の具体的な詳細がなくても、又は他の方法によって本開示を実施することもできることは、容易に認識される。その他、本開示を不明確にしないように、公知の構造や操作は詳しく示されていない。ある操作が異なる順序で生じ且つ／或いは他の操作又は工程と同時に起こる可能性があるため、本開示は、示された操作又は工程の順序に限定されない。また、本開示の方法によると、図示された操作又は工程を全て実行する必要はない。
【００１８】
上記のように、コンピューターシステムに対して汎用グラフィック処理ユニット（ｇｅｎｅｒａｌ  ｐｕｒｐｏｓｅ  ｇｒａｐｈｉｃ  ｐｒｏｃｅｓｓｉｎｇ  ｕｎｉｔｓ；ＧＰＧＰＵ）を効果的且つ確実に取り付ける又は取り外す方法の開発は、非常に期待されている。具体的に、開発については、以下のようなことが非常に期待される。（１）ツールを利用せずに汎用グラフィック処理ユニットをコンピューターシステムに取り付けることができる。（２）汎用グラフィック処理ユニットのコンピューターシステムにおける空間ニーズをできる限り減少させる。（３）汎用グラフィック処理ユニット、コンピューターシステム又は両者の間のコネクタを傷つける可能性があるため、間違った汎用グラフィック処理ユニットの取り付けを抑制し又はなくす。
【００１９】
前記内容に鑑みて、本開示は、コンピューターシステムに用いられる汎用グラフィック処理ユニットキャリアの設計を提供し、且つこのコンピューターシステムが上記のニーズに対応する。具体的に、本開示は、（１）技術者が汎用グラフィック処理ユニットキャリアに汎用グラフィック処理ユニットを容易且つ確実に取り付けることを可能にする汎用グラフィック処理ユニットキャリアの設計、及び（２）技術者が最小限の努力や訓練だけでコンピュータシステム内に汎用グラフィックス処理ユニットの機械的及び電気的な設置を行うことを可能にする、コンピュータシステムに用いられる対応するドライブスロット設計（ｄｒｉｖｅ  ｓｌｏｔ  ｄｅｓｉｇｎ）を考慮する。この設計を図１〜図１３に示す。本開示は、複数の汎用グラフィック処理ユニットのキャリアに向けられているが、単一のキャリア内で組み合わせ可能な如何なる部材も包含されてもよい。ある部材を類似のブラケットに配置できるため、サーバーのスペースを節約することができる。また、類似の素子を本開示に記載されたものと同じブラケット内に接続すると、キャリアの素子を取り外す（ｄｉｓｃｏｎｎｅｃｔｉｎｇ）ことなくメンテナンスをすることができる。
【００２０】
図１は、一実施例に係る汎用グラフィック処理ユニットキャリア１００を示す斜視図である。図１に示すように、汎用グラフィック処理ユニットキャリア１００は、第１の収納空間１０４Ａ及び第２の収納空間１０４Ｂを有するブラケット（ｂｒａｃｋｅｔ）１０２を含む。第１の収納空間１０４Ａは、第１の汎用グラフィック処理ユニット１２０を収納することができる。第１の汎用グラフィック処理ユニット１２０は、方向５０に沿って第１の収納空間１０４Ａに挿入されることができる。第２の収納空間１０４Ｂは、第２の汎用グラフィック処理ユニット１３０を収納することができる。第２の汎用グラフィック処理ユニット１３０は、方向５１に沿って第２の収納空間１０４Ｂに挿入されることができる。汎用グラフィック処理ユニットキャリア１００は、フレーム（ｆｒａｍｅ）１０５を更に含んでもよい。フレーム１０５は、既知の接続手段によってブラケット１０２に接続されてもよい。例えば、フレーム１０５は、留め具、ネジ又はスポット溶接によってブラケット１０２に固定されてもよい。ある実施例において、フレーム１０５及びブラケット１０２は、例えば、プラスチック、金属、セラミック及び他の高品質の３Ｄ印刷素材等の材料で製造されてもよい。
【００２１】
汎用グラフィック処理ユニットキャリア１００及びその素子は、例えば、曲げ、成形、スタンピング等の従来の金属製作技術を使用して金属シートで製造される。従って、汎用グラフィック処理ユニットキャリア１００は、非常に安価に製造されることができる。或いは、汎用グラフィック処理ユニットキャリア１００及びその素子は、アルミニウム合金、鋼合金又はそれらの任意の組み合わせで製造されてよい。理解すべきなのは、汎用グラフィック処理ユニットキャリア１００及びその素子は、温度変化や高速（未図示の複数のファンモジュールから由来）の気流に耐えられる如何なる材料で構成されてよい。上記の材料は、単なる例であり、本開示を限定するものではない。当業者であれば、本開示によって任意の材料を柔軟に選択することができる。
【００２２】
フレーム１０５は、第１の端部１０６Ａ及び第２の端部１０６Ｂを含んでもよい。第１の端部１０６Ａ及び第２の端部１０６Ｂは、何れもフレーム１０５の反対側の遠位端に位置してもよい。第１の端部１０６Ａは、第１のガイドスロット１０７Ａを含んでもよい。第２の端部１０６Ｂは、第２のガイドスロット１０７Ｂを含んでもよい。以下、第１のガイドスロット１０７Ａ及び第２のガイドスロット１０７Ｂを詳述する。他の実施例において、第１の端部１０６Ａは、他の固定装置を含んでもよい。また、第２の端部１０６Ｂは、他の固定装置を含んでもよい。汎用グラフィック処理ユニットキャリア１００は、高速周辺機器相互接続標準（ｐｅｒｉｐｈｅｒａｌ  ｃｏｍｐｏｎｅｎｔ  ｉｎｔｅｒｃｏｎｎｅｃｔ  ｅｘｐｒｅｓｓ；ＰＣＩｅ）インターフェース１０１を更に含んでもよい。ＰＣＩｅインターフェース１０１は、ＰＣＩｅケーブル（未図示）に接続されるためのインターフェースを含んでもよい。ＰＣＩｅケーブル（未図示）は、離れた位置にあるＰＣＩｅ素子（未図示）に接続されてもよい。ある実施例において、ＰＣＩｅ部品は、汎用グラフィック処理ユニットキャリア１００のサーバー素子内に位置する。他の実施例において、ＰＣＩｅ素子は、汎用グラフィック処理ユニットキャリア１００のサーバー素子から離れた位置に位置する。
【００２３】
図２は、一実施例における第１の汎用グラフィック処理ユニット１２０及び第２の汎用グラフィック処理ユニット１３０を有する汎用グラフィック処理ユニットキャリア１００を示す斜視図である。図２の例示的な配置において、ラッチ１０８Ａ、１０８Ｂは、ブラケット１０２に位置してもよい。これらのラッチ機構（ｌａｔｃｈｉｎｇ  ｍｅｃｈａｎｉｓｍ）は、バネ、ロック素子又は本分野で既知の他の如何なるラッチ機構を含んでもよい。ある実施例において、接続素子は、ブラケット１０２の底部の下方に位置してもよい。従って、汎用グラフィック処理ユニットキャリア１００がサーバー装置（未図示）内に取り付けられる場合、第１の汎用グラフィック処理ユニット１２０及び第２の汎用グラフィック処理ユニット１３０は、（以下に述べる）マザーボードに接続されてもよい。
【００２４】
まず、異なる方向で汎用グラフィック処理ユニットキャリア１００を示す図７及び図８を参照されたい。図７は、汎用グラフィック処理ユニットキャリア１００及び汎用グラフィック処理ユニット素子のない第１の収納空間１０４Ａを示す左視斜視図である。図８は、汎用グラフィック処理ユニットキャリア１００及び汎用グラフィック処理ユニット部品のない第２の収納空間１０４Ｂを示す右視斜視図である。図７及び図８にも、汎用グラフィック処理ユニットキャリア１００の、コネクタ（未図示）を受ける（ｒｅｃｅｉｖｅ）アダプター（ａｄａｐｔｅｒ）４５０を示す。図６を参照されたい。汎用グラフィック処理ユニットキャリア１００のアダプター４５０は、コネクタ４００を介して、マザーボード３００のアダプター３５０に結合される。汎用グラフィック処理ユニットキャリア１００は、コネクタ４００を含んでもよい。マザーボード３００内のスロット３０１は、コネクタ４００を含んでもよい。
【００２５】
図３は、一実施例において、図１、図２、図７及び図８における汎用グラフィック処理ユニットキャリア１００をマザーボード３００内のスロット３０１に挿入することを示す。マザーボード３００は、第１の汎用グラフィック処理ユニット１２０と第２の汎用グラフィック処理ユニット１３０が何れも取り付けられる場合に汎用グラフィック処理ユニットキャリア１００を収納するためのスロット３０１を含む。汎用グラフィック処理ユニットキャリア１００は、方向６１に沿ってスロット３０１に滑り入る。汎用グラフィック処理ユニットキャリア１００は、複数のガイドピン３０２及びスロット３０１内の複数のロック機構（ｌｏｃｋｉｎｇ  ｍｅｃｈａｎｉｓｍ）３０３によって固定されることができる。ガイドピン３０２は、（図２に示す）対応する第１のガイドスロット１０７Ａ及び第２のガイドスロット１０７Ｂを固定するように配置される。ガイドピン３０２は、スロット３０１において第１の位置及び第２の位置を有する。第１の位置にある場合、汎用グラフィック処理ユニットキャリア１００は、自由に回転することができる。第２の位置にある場合、回転が制限されるので、汎用グラフィック処理ユニットキャリア１００は、その下に位置する素子にアクセスできるように適切な位置に固定される。第２の位置は、図３に示される。
【００２６】
まず図６を参照されたい。図６は、（図１、図２、図７及び図８に示す）汎用グラフィック処理ユニットキャリア１００のアダプター４５０に接続されるコネクタ４００を示す。コネクタ４００は、第１のレシーバー４２０、可撓性部材（ｆｌｅｘｉｂｌｅ  ｍｅｍｂｅｒ）４３０及び第２のレシーバー４４０を有する。第１のレシーバー４２０は、（図３に示す）汎用グラフィック処理ユニットキャリアのアダプター４５０に接続されるように配置される。第２のレシーバー４４０は、（図３に示す）マザーボードのアダプター３５０に接続されるように配置される。可撓性部材４３０は、電子素子を含んでもよく、汎用グラフィック処理ユニットキャリア内に取り付けられる第１の汎用グラフィック処理ユニット及び第２の汎用グラフィック処理ユニットとマザーボード（図１０参照）との電気的接続を促進することに用いられる。可撓性部材４３０によって、汎用グラフィック処理ユニットキャリア１００は、（後述する）第１の位置と第２の位置との間で変化することができるようにマザーボードへの接続が保持される。以下、この素子を詳述する。
【００２７】
まず図１１を参照されたい。図１１は、マザーボード３００のアダプター３５０を示す。上記のように、コネクタ４００は、汎用グラフィック処理ユニットキャリアのアダプターをマザーボード３００のアダプター３５０に接続するように配置される。この接続は、汎用グラフィック処理ユニットキャリア内に取り付けられる第１の汎用グラフィック処理ユニット及び第２の汎用グラフィック処理ユニットとマザーボード３００との電気的接続を促進することに寄与する。
【００２８】
また図３を参照されたい。スロット３０１及びガイドピン３０２によって、汎用グラフィック処理ユニットキャリア１００が方向６２に基づいて図３の位置に戻ることができる。スロット３０１及びガイドピン３０２によって、汎用グラフィック処理ユニットキャリア１００がこの位置に保持されて、汎用グラフィック処理ユニットキャリア１００の下に素子へのアクセスを可能にする。これによって、技術者は、汎用グラフィック処理ユニットキャリア１００を取り外すことなく他の素子にアクセスすることができる。
【００２９】
まず図９を参照されたい。汎用グラフィック処理ユニットキャリア１００は、マザーボード３００内の第１の位置内にある。図１０は、第２の位置内の汎用グラフィック処理ユニットキャリア１００を例示する。汎用グラフィック処理ユニットキャリア１００は、この位置に一定の角度で保持され、汎用グラフィック処理ユニットキャリア１００の真下のマザーボード３００の素子へのアクセスが可能になる。
【００３０】
また図２及び図３を参照されたい。ロック機構３０３は、対応するラッチ１０８Ａ、１０８Ｂ（図２でラッチ１０８Ｂを示す）を固定するように配置される。例えば、汎用グラフィック処理ユニットキャリア１００が挿入される場合、ガイドピン３０２は、ガイドスロット１０７Ａ（ガイドスロット１０７Ａは、図２に示される）及びガイドスロット１０７Ｂに結合されることができる。ある実施例において、ガイドピン３０２には、バネを追加してもよい（ｓｐｒｉｎｇ  ｌｏａｄｅｄ）。他の実施例において、ガイドピン３０２は、固定されて、更に対応するガイドスロット１０７Ａ（ガイドスロット１０７Ａは図２に示される）及びガイドスロット１０７Ｂを固定することができる。ガイドピン３０２が対応するガイドスロット１０７Ａ（ガイドスロット１０７Ａは図２に示される）及びガイドスロット１０７Ｂ内に固定されると、ラッチ１０８Ａ、１０８Ｂ（ラッチ１０８Ｂは図２に示される）は、ロック機構３０３にしっかりと接続される。以上の細部は、図４Ａ及び図４Ｂでより詳しく説明される。
【００３１】
図４Ａは、スロット３０１のロック機構３０３（図３）に結合される汎用グラフィック処理ユニットキャリア１００のラッチ１０８Ａを示す。本開示のある実施例において、ラッチ１０８Ａには、バネを付加してもよく、これによってラッチ１０８Ａがロック機構３０３と結合又は分離した後でその最初の位置に戻ることができる。ロック機構３０３は、ピン３０３Ａ、３０３Ｂ及び３０３Ｃを含んでもよい。ｙ軸に沿って下へブラケット１０２を押して、ラッチ１０８Ａとピン３０３Ａとを接触し結合させる。ラッチ１０８Ａは、ロック機構３０３の角度のある表面に結合されることで、方向７１に沿って移動する。ピン３０３Ａは、ラッチ１０８Ａを方向７１に沿って移動させ、ピン３０３Ｂをスロット１０９Ｂ内に位置決めし、ピン３０３Ｃをスロット１０９Ｃ内に位置決めする。ラッチ１０８Ａの方向７１に沿う移動によっても、ピン３０３Ａに用いられるスロット１０９Ａを露出する。
【００３２】
図４Ｂは、汎用グラフィック処理ユニットキャリア１００のラッチ１０８Ａをスロット３０１のロック機構３０３（図３）に固定することを示す。ピン３０３Ａは、上へスロット１０９Ａに滑り入り、ラッチ１０８Ａを押し付けて最初の位置にリバウンドさせ（方向７１へ移動する前の位置）、この場合、ピン３０３Ａは、ラッチ１０８Ａから離れる。この移動によってピン３０３Ａをスロット１０９Ａ内に固定し、次にピン３０３Ｂをスロット１０９Ｂ内に固定してから、ピン３０３Ｃをスロット１０９Ｃ内に固定する。従って、ラッチ１０８Ａは、スロット３０１のロック機構３０３の中に固定される。この過程はラッチ１０８Ｂとその対応するロック機構と同時に終了する。ラッチ１０８Ａのロックを解除する場合、ラッチ１０８Ａは、方向７１に沿って押され、且つロック機構３０３から離れるようにブラケット１０２が持ち上げられる。
【００３３】
説明した実施例において、ロック機構３０３（図３）は、複数のピン３０３Ａ〜ピン３０３Ｃを含む。従って、説明したラッチ１０８Ａは、スロット１０９Ａ〜スロット１０９Ｃを含む。しかしながら、注意すべきなのは、ロック機構３０３は、単一のピンを含んでもよい。また、ラッチ１０８Ａは、スロット３０１におけるガイドピンを受けるための単一のスロットを含んでもよい。当業者は、汎用グラフィック処理ユニットキャリア１００をスロット３０１内に固定することができれば、ラッチ１０８Ａが採用し得る他の構造を柔軟に選択してよい。
【００３４】
図１２及び図１３を参照されたい。マザーボード３００のスロット３０１は、汎用グラフィック処理ユニットキャリア１００のガイドピン３０２を固定するように配置される。上記のように、汎用グラフィック処理ユニットキャリア１００は、第１の位置と第２の位置との間で自由に回転することができる。ガイドピン３０２によって、汎用グラフィック処理ユニットキャリア１００がスロット３０１における第１の位置と第２の位置との間で回転することができる。図１２は、第２の位置においてスロット３０１内に配置された汎用グラフィック処理ユニットキャリア１００のガイドピン３０２を示す。第２の位置において、汎用グラフィック処理ユニットキャリア１００が適切な位置に固定されてその下に位置するマザーボード３００の素子にアクセスすることを可能にする。図１３は、第１の位置においてスロット３０１内に配置される汎用グラフィック処理ユニットキャリア１００のガイドピン３０２を示す。
【００３５】
以上、汎用グラフィック処理ユニットキャリア１００の配置と操作を既に説明したが、ここで、本開示では、汎用グラフィック処理ユニットキャリア１００を収納するためのマザーボードのスロットの配置や操作を説明する。図５は、汎用グラフィック処理ユニットキャリア１００（図１）をコンピューター装置５００のマザーボード３００内のスロット３０１の中に挿入することを示す。一実施例によると、汎用グラフィック処理ユニットキャリア１００は、ロード位置に配置され、第１の汎用グラフィック処理ユニット１２０及び第２の汎用グラフィック処理ユニット１３０の何れも取り付けられる。コンピューター装置５００は、スタンドアロンコンピューター、サーバー、又は任意の他のタイプのコンピューティング装置であってもよい。
【００３６】
この配置において、汎用グラフィック処理ユニットキャリア１００のラッチ１０８Ａ、１０８Ｂとスロット３０１のロック機構３０３（図３に示す）の相互作用によって、コネクタ４００を介して、汎用グラフィック処理ユニットキャリア１００のアダプター４５０をマザーボード３００のアダプター３５０（図６と図１１に示す）に結合させる。理解すべきなのは、ある実施例において、汎用グラフィック処理ユニットキャリア１００のラッチ１０８Ａ、１０８Ｂ及びスロット３０１のロック機構３０３（図３）を緩めてもコネクタは切断されない。従って、技術者が汎用グラフィック処理ユニットキャリア１００をマザーボード３００から取り外すことなく第１の汎用グラフィック処理ユニット１２０又は第２の汎用グラフィック処理ユニット１３０を修理することを可能にする。
【００３７】
以上、本開示の様々な実施例を説明したが、それらは例示のみを目的としたものであり、限定的なものではないことを理解されたい。本発明の精神又は範囲から逸脱することなく、本明細書に開示された実施例に従って多様の変更を加えてもよい。従って、本開示の広さや範囲は、上記の実施例の何れによっても制限されるべきではない。代わりに、本開示の範囲は、添付の特許請求の範囲及びそれらの等価物によって定義されるべきである。
【００３８】
１つ又は複数の実施形態に関して本開示を説明し記載したが、本明細書及び添付図面を読んで理解すると、当業者であれば、同等の変更や修正を想到する可能性がある。更に、本発明の特定の素子は、幾つかの実施形態のうちの１つのみに関して開示されているかもしれないが、そのような素子は、他の実施例の１つ又は複数の他の素子と組み合わされてもよく、これは、任意の又は特定の用途にとって望ましく、有利である。
【００３９】
ここに使用する用語は、特定の実施例のみを説明するためのものであり、本発明を限定するものではない。本明細書で使用されるように、単数形「一」、「１つ」と「この」は、上下文で別に明確に指示されない限り、複数形も含むことが意図される。また、「備える」、「有する」、「ある」又はそれらの変形が、詳細な説明及び／又は請求項において使用される限り、そのような用語は、用語「含む」と同様の態様で他のものを包含することが意図される。
【００４０】
別に定義されない限り、ここに使用される全ての用語（技術用語及び科学用語を含む）は、当業者によって一般的に理解されるのと同じ意味を有する。例えば、辞書に一般的に使用されているような用語は、関連分野の文脈における意味と一致する意味を有すると解釈されるべきであり、明確に定義されていない限り、理想化された又は過度に形式的な意味として理解されない。
【符号の説明】
【００４１】
５０、５１、６１、６２、７１  方向
１００  汎用グラフィック処理ユニットキャリア
１０１  インターフェース
１０２  ブラケット
１０４Ａ  第１の収納空間
１０４Ｂ  第２の収納空間
１０５  フレーム
１０６Ａ  第１の端部
１０６Ｂ  第２の端部
１０７Ａ、１０７Ｂ  ガイドスロット
１０８Ａ、１０８Ｂ  ラッチ
１０９Ａ、１０９Ｂ、１０９Ｃ  スロット
１２０  第１の汎用グラフィック処理ユニット
１３０  第２の汎用グラフィック処理ユニット
３００  マザーボード
３０１  スロット
３０２  ガイドピン
３０３  ロック機構
３０３Ａ、３０３Ｂ、３０３Ｃ  ピン
３５０  アダプター
４００  コネクタ
４２０  第１のレシーバー
４３０  可撓性部材
４４０  第２のレシーバー
４５０  アダプター
５００  コンピューター装置
Ｘ、Ｙ、Ｚ  軸
【図１】
2019087223.tif 000003
【図２】
2019087223.tif 000004
【図３】
2019087223.tif 000005
【図４Ａ】
2019087223.tif 000006
【図４Ｂ】
2019087223.tif 000007
【図５】
2019087223.tif 000008
【図６】
2019087223.tif 000009
【図７】
2019087223.tif 000010
【図８】
2019087223.tif 000011
【図９】
2019087223.tif 000012
【図１０】
2019087223.tif 000013
【図１１】
2019087223.tif 000014
【図１２】
2019087223.tif 000015
【図１３】
2019087223.tif 000016